(57)【特許請求の範囲】
【請求項１】
紙面に、所望の情報が記載される情報記載領域を備え、少なくとも該情報記載領域に、偽造防止用の背景画像が印刷されてなるものであって、
背景画像は、情報記載領域の全域に亘って描かれているものであり、
複数の直線および／または曲線が、該線を境界とする閉じた領域を形成しないように、規則的に連続して構成される複数の非閉鎖図形要素が、一筆書き状に連続されてなる複数の連続線図を備え、
複数の連続線図のうち、少なくとも一の連続線図が、情報記載領域の全域に亘って描かれる再帰曲線により形成されると共に、他の少なくとも一の連続線図が、隣り合う再帰曲線と一定間隔をおいて平行となる平行連続線により形成されるものであることを特徴とする偽造防止帳票。
【請求項２】
複数の非閉鎖図形要素を、一筆書き状に連続されてなる図形に対し、直線および／または曲線を部分的に断線させた欠落線部を形成した、再帰曲線からなる連続線図を備えるものであることを特徴とする請求項１に記載の偽造防止帳票。
【請求項３】
背景画像が印刷された領域において、該背景画像の濃度が５％以上且つ５０％以下であることを特徴とする請求項１又は請求項２に記載の偽造防止帳票。
【発明の詳細な説明】
【技術分野】
【０００１】
本発明は、有価証券や証明書等に使用される偽造防止帳票に関する。
【背景技術】
【０００２】
有価証券や証明書等には、一般的に、その背景に地紋や彩紋などが印刷されている。こうした地紋や彩紋として、例えば、所定間隔で配列した万線パターンや複数の多角形や円形を配列したパターンなどが知られている。こうした地紋や彩紋は、有価証券や証明書等の背景デザインであるだけでなく、複写機等による偽造を防止する機能も有する。すなわち、複写機により印刷した場合に、地紋や彩紋等により所謂モアレ画像が発生することから、該モアレ画像によって複写物か否かを判断でき、該複写機による偽造を防止することができる。ここで、モアレ画像は、前記した地紋や彩紋を構成する直線や曲線などの線画が、複写機で照射される光の走査方向と干渉することによって生じる干渉縞である。
【０００３】
尚、このように有価証券や証明書等に適用される帳票として、例えば特許文献１が提案されている。かかる構成は、複数の波線を所定間隔をおいて配列してなる万線パターンが背景として印刷されたものである。
【先行技術文献】
【特許文献】
【０００４】
【特許文献１】特開平１１−３２１１６９号公報
【発明の概要】
【発明が解決しようとする課題】
【０００５】
ところで、地紋や彩紋などの背景画像は、注意深く観察されると、該地紋や彩紋を構成する線画の形態を視認され得る。そのため、背景画像を構成する画像バターン（構造）が比較的単純であると、該パターンを知得され易く、比較的容易に偽造される虞がある。例えば、上述した万線パターンや複数の多角形や円形を配列したパターンなどの場合には、該万線を構成する直線や波線およびその間隔、または多角形や円形の形状サイズなど、該パターンの構造を比較的容易に知得される。そして、背景画像の構造が知得されると、これに基づいて比較的容易に偽造可能となることから、該偽造を防止するという作用効果が低減する。そのため、仮に背景画像を視認された場合にあっても背景画像の構造を正確に知得し難い構成が希求されている。
【０００６】
本発明は、有価証券や証明書等に適用されるものであって、背景画像の構造が正確に知得されることを可及的に抑制し、偽造防止効果を向上し得る偽造防止帳票を提案するものである。
【課題を解決するための手段】
【０００７】
本発明は、紙面に、所望の情報が記載される情報記載領域を備え、少なくとも該情報記載領域に、偽造防止用の背景画像が印刷されてなるものであって、該背景画像は、複数の直線および／または曲線が、該線を境界とする閉じた領域を形成しないように、規則的に連続されてなる複数の非閉鎖図形要素により構成され、該非閉鎖図形要素が一筆書き状に連続されてなる一又は複数の連続線図を備えたものであることを特徴とする偽造防止帳票である。
【０００８】
ここで、連続線図は、背景画像を印刷する領域で、該連続線図を構成する複数の非閉鎖図形要素が略均等に連続されてなる構成が好適である。また、背景画像は、連続線図のみの構成であっても良いし、連続線図だけでなく、該連続線図と異なる一又は複数の副次線図を備えた構成であっても良い。また、複数の連続線図を備えた構成では、各連続線図が相互に非接触である構成が好適であり、連続線図と副次線図とを備えた構成では、夫々の線図が相互に非接触である構成が好適である。また、背景画像を印刷する領域が、該背景画像によって埋め尽くされるようにした構成が好適である。
【０００９】
かかる構成にあって、連続線図は、閉じた領域を形成しない非閉鎖図形要素を一筆書き状に複数連続してなるものであり、比較的複雑な構造に形成される。そして、非閉鎖図形要素が直線または／曲線を規則的に連続することによって、一筆書き状の連続線図を比較的容易かつ安定して形成できる。こうした複雑な構造の連続線図を背景画像が備えることにより、仮に偽造等のために連続線図が視認された場合にあっても、該連続線図の構造を正確に知得され難い。そのため、上述した従来の、万線パターンや多角形を配列したパターンなどのように比較的単純な形態に比して、本発明の構成は、同一の背景画像を正確に複製し難い。したがって、本発明の構成によれば、連続線図の構造が知得されることを可及的に抑制でき、偽造を防止するという作用効果が向上する。
【００１０】
尚、連続線図は、非閉鎖図形要素が閉じた領域を形成しないことから、該非閉鎖図形要素が、紙面の縦横方向や斜め方向など複数の直線および／または曲線により構成される。そのため、複写機による複写の際に、非閉鎖図形要素の各線方向と該複写機から照射される光の走査方向とが互いに干渉して、干渉縞（モアレ）が発生し易くなる。この干渉縞により、本発明の構成は、複写による偽造を防止する効果が高い。
【００１１】
上述した本発明の偽造防止帳票にあって、一筆書き状の連続線図は、再帰曲線により形成されてなるものである構成が提案される。ここで、再帰曲線としては、例えば、ヒルベルト曲線、ゴスパー曲線、コッホ曲線、シェルピンスキー曲線、ムーア曲線、ルベーク曲線等が好適に用いられる。そして、複数の連続線図を備えた構成では、全て同一の再帰曲線を使用しても良いし、異なる種類の再帰曲線を使用することもできる。
【００１２】
かかる構成にあっては、連続線図が、再帰処理を行う規則（以下、変換規則という）により形成される再帰曲線であることから、該変換規則の規則性に従って形成される。こうした連続線図は、少なくとも始点と終点以外では非接触である複雑な構造となる。そのため、本構成によれば、上述した偽造防止効果を一層向上できる。さらに、連続線図は、前記のように変換規則に従って形成されることから、背景画像が印刷される帳票の用途に合わせて比較的容易に設定可能であると共に、該変換規則に従って正確かつ安定して印刷することができるため、生産性にも優れる。
【００１３】
上述した本発明の偽造防止帳票にあって、背景画像が、一筆書き状の複数の連続線図を備えたものであって、複数の連続線図のうち、少なくとも一の連続線図が再帰曲線により形成されると共に、他の少なくとも一の連続線図が、前記再帰曲線に所定間隔をおいて連続する平行連続線により形成されてなるものである構成が提案される。ここで、再帰曲線としては、上記構成と同様に、例えば、ヒルベルト曲線、ゴスパー曲線、コッホ曲線、シェルピンスキー曲線、ムーア曲線、ルベーク曲線等が好適に用いられる。
【００１４】
かかる構成にあっては、上述したように、変換規則に従う再帰曲線が、少なくとも始点と終点以外では非接触である複雑な構造となることから、偽造防止効果を向上できる。さらに、平行連続線が、再帰曲線と所定間隔をおいて並んで形成されていることから、擬似的な再帰曲線を構成する。そのため、平行連続線も、再帰曲線と同様に、複雑な構造であり、偽造防止効果を発揮する。したがって、本構成によれば、上述した本発明にかかる偽造防止効果を一層向上できる。さらに、再帰曲線は、上述したように容易に設定可能であると共に、正確かつ安定して印刷できる。そして、再帰曲線に平行な平行連続線も同様に設定と印刷とが可能である。そのため、本構成にあっても、生産性に優れる。
【００１５】
上述した本発明の偽造防止帳票にあって、一筆書き状の連続線図は、その所定部位に、該連続線図を構成する直線および／または曲線を部分的に断線させた欠落線部が形成されたものである構成が提案される。
【００１６】
かかる構成によれば、欠落線部を備えていることによって、連続線図の構造を正確に知得することが一層難しい。したがって、上述した本発明の偽造防止効果をさらに向上できる。
【００１７】
上述した本発明の偽造防止帳票にあって、背景画像が印刷された領域において、該背景画像の濃度が５％以上且つ５０％以下である構成が提案される。
【００１８】
かかる構成にあっては、背景画像の濃度が５％以上であれば、その連続線図の構造が知得され難い作用効果が十分に発揮される一方、背景画像の濃度が５０％以下であれば、連続線図の構造を十分に識別できる。したがって、本構成によれば、偽造防止効果を向上するという上述した本発明の作用効果が適正に発揮され得る。
【００１９】
尚、背景画像の濃度は、１０％以上とすることが好適であり、これによって、上述した連続線図の構造が知得され難いという作用効果が一層十分に発揮され得る。また、背景画像の濃度は、３０％以下とすることが好適であり、これによって、連続線図の構造を一層明瞭に識別できる。
【発明の効果】
【００２０】
本発明の偽造防止帳票は、上述したように、紙面に印刷される背景画像が、直線および／または曲線が規則的に連続されてなる非閉鎖図形要素を、一筆書き状に複数連続してなる連続線図を備えたものであるから、偽造等のために該背景画像の連続線図を視認されたとしても、該連続線図の構造を正確に知得され難い。したがって、本発明の構成によれば、偽造防止効果を向上できる。
【図面の簡単な説明】
【００２１】
【図１】実施例１の偽造防止帳票１の平面図である。
【図２】図１中のＸ部拡大図である。
【図３】背景画像１１における再帰曲線１２のみを示す説明図である。
【図４】背景画像１１を分解して表す説明図である。
【図５】実施例２の偽造防止帳票３１の平面図である。
【図６】図５中のＹ部拡大図である。
【図７】背景画像３２における再帰曲線３３のみを示す説明図である。
【図８】背景画像３２を分解して表す説明図である。
【図９】実施例３の偽造防止帳票５１の平面図である。
【図１０】図９中のＺ部拡大図である。
【図１１】背景画像５２における再帰曲線５３のみを示す説明図である。
【図１２】背景画像５２を分解して表す説明図である。
【図１３】実施例４の偽造防止帳票８１の平面図である。
【発明を実施するための形態】
【００２２】
本発明にかかる実施形態を、以下の実施例１〜４に従って説明する。
【実施例１】
【００２３】
図１は、本実施例１の偽造防止帳票１の概略を示す平面図であり、図２は、該偽造防止帳票１に印刷された背景画像１１を示す説明図である。ここで、偽造防止帳票１は、有価証券や証明書等に好適に用いられるものであり、表面に、所望の情報が記載される情報記載欄５を備えている。尚、情報記載欄５により、本発明にかかる情報記載領域が構成されている。
【００２４】
背景画像１１は、一の再帰曲線１２と複数の平行連続線１３とから構成されている。再帰曲線１２は、図３（ａ）のように、下記の変換規則（１）に従って形成されるものであり、所謂ヒルベルト曲線である。
Ｌ＝−ＲＦ＋ＬＦＬ＋ＦＲ−，Ｒ＝＋ＬＦ−ＲＦＲ−ＦＬ＋    ・・・（１）
ここで、傾ける角度が「９０度」、初期値が「Ｒ」である。
【００２５】
ここで、再帰曲線１２のヒルベルト曲線としては、縦方向と横方向との直線が連続された非閉鎖図形要素２１を、一筆書き状に複数連続してなるものである。そして、背景画像１１が印刷される領域７で、該領域７の全域に亘って略均等に描かれる。さらに詳述すると、本実施例のヒルベルト曲線は、縦方向（又は横方向）に直線が描かれ、その末端から９０度傾けた横方向（又は縦方向）に直線が描かれ、その末端から９０度傾けた縦方向（又は横方向）に直線が描かれるように、縦方向の直線と横方向の直線とが繰り返し描かれることによって形成される。そして、各直線が夫々の始端と末端とで連続する以外で相互に交わらないように、前記した９０度傾ける方向が設定される。このようにヒルベルト曲線では、これを構成する非閉鎖図形要素２１が、その直線を境界とする閉じた領域を形成しない形状（コ字形）をなす。そして、ヒルベルト曲線は、その始点から終点に至るまで交差せずに、その直線を境界とする閉じた領域が形成されないように描かれる。
【００２６】
また、平行連続線１３は、上記の再帰曲線１２と一定間隔をおいて描かれた縦方向の直線と横方向の直線とを連続してなるものであり、これら各直線が、隣合う該再帰曲線１２の直線と夫々平行となっている。本実施例１では、こうした平行連続線１３が、再帰曲線１２の内外両側に夫々二個づつ描かれており、背景画像１１は、一個の再帰曲線１２と四個の平行連続線１３とにより構成されている。そして、再帰曲線１２と四個の平行連続線１３とは、相互に隣合う線同士の間隔が全て略等しく、かつ相互に非接触である。これにより、背景画像１１が印刷された領域７では、該領域７の全域に亘って該背景画像１１が描かれており、且つ該背景画像１１の濃度が略平準化されている。具体的には、背景画像１１の濃度が約２０％となるように、再帰曲線１２および平行連続線１３の各直線の幅とと間隔とが設定されている。
【００２７】
再帰曲線１２のヒルベルト曲線は、上述したように、変換規則（１）に従って描かれるものであり、換言すれば、縦方向および横方向の直線を規則的に連続させたものである。また、平行連続線１３は、再帰曲線１２と平行に描かれたものであることから、再帰曲線１２の非閉鎖図形要素２１と平行に描かれたコ字形の非閉鎖図形要素２６を、一筆書き状に複数連続してなるものであり、換言すれば、縦方向および横方向の直線を、再帰曲線１２と平行となるように規則的に連続してなるものである。
【００２８】
こうした背景画像１１が印刷された領域７は、略長方形状をなし、上記した情報記載欄５を含む。すなわち、背景画像１１が、情報記載欄５の全域を埋めるように印刷されている。尚、本実施例１にあって、再帰曲線１２と複数の平行連続線１３により、本発明の連続線図が構成されている。
【００２９】
また、本実施例１では、再帰曲線１２の所定部位に、該再帰曲線１２を構成する直線を部分的に断線させた欠落線部１５が形成されている。この欠落線部１５は、複数設けられており、その位置が予め設定されている。本実施例１では、上記の情報記載欄５内で、右上の位置と、左下の位置とに、夫々欠落線部１５，１５が形成されている。
【００３０】
上述した本実施例１の構成にあっては、背景画像１１を構成する再帰曲線１２が、一筆書き状のヒルベルト曲線であり、その始点から終点に至るまで交差せず且つ比較的複雑な形態である。そして、背景画像１１を構成する複数の平行連続線１３は、再帰曲線１２と平行であることから、該再帰曲線１２と同様に比較的複雑な形態である。こうしたことから、背景画像１１は、再帰曲線１２と平行連続線１３とによって比較的複雑な構造をなすため、偽造等のために視認された場合にあっても該構造を正確に知得され難い。さらに、背景画像１１の領域７の濃度が上記のように設定されていることも、前記した構造を知得され難いという作用効果を高めている。このような背景画像１１が印刷されていることによって、偽造などのために背景画像１１を視認された場合にも、該背景画像１１の構造を正確に知得されることを可及的に抑制できるため、偽造防止という作用効果が飛躍的に向上する。また、再帰曲線１２には上記の欠落線部１５，１５が形成されており、これを正確に知得することが難しいことから、前記した偽造防止の作用効果が一層向上する。尚、こうした構成によれば、例えば、上記した情報記載欄５に本来と異なる情報を切り貼りする偽造が行われた場合にあっても、該情報記載欄５の背景画像１１を正確に複製することが極めて困難であることから、当該偽造を比較的容易かつ確実に見つけることができる。
【００３１】
また、再帰曲線１２および平行連続線１３が、上記のように縦方向と横方向との直線により構成されていることから、複写機で複写した際に、該複写機の光の走査方向との干渉によって干渉縞（モアレ）が発生し易くなっている。そのため、複写機による偽造を防止する効果も向上する。
【００３２】
さらにまた、再帰曲線１２が上記の変換規則（１）に従うヒルベルト曲線であることから、帳票の用途に応じて様々に設定変更することが可能である。例えば、縦方向と横方向との直線の寸法を適宜設定することにより、背景画像１１の領域７のサイズを変更したり、該領域７の濃度を変えることができる。尚、こうしたサイズ変更や濃度変更は、平行連続線１３との間隔を変更することによっても、実施可能である。
【実施例２】
【００３３】
実施例２は、背景画像３２が、シェルピンスキー曲線からなる再帰曲線３３と、該再帰曲線３３に平行な複数の平行連続線３４とを備えた偽造防止帳票３１である。尚、本実施例２にあって、背景画像３２が異なる以外は上述の実施例１と同様の構成であることから、同じ構成要素には同じ符号を記し、その説明を適宜省略する。
【００３４】
背景画像３２が印刷された領域４７は、略菱形状をなし、情報記載欄５の全域を埋めるように該背景画像３２が印刷されている。
【００３５】
背景画像３２を構成する再帰曲線３３は、下記の変換規則（２）に従って形成されるシェルピンスキー曲線である。
Ｌ＝＋Ｒ−Ｆ−Ｒ＋，Ｒ＝−Ｌ＋Ｆ＋Ｌ−    ・・・（２）
ここで、傾ける角度が「４５度」、初期値が「Ｌ−−Ｆ−−Ｌ−−Ｆ」である。
【００３６】
ここで、シェルピンスキー曲線としては、縦方向、横方向、および斜め方向の直線が連続された非閉鎖図形要素４１を、一筆書き状に複数連続してなるものである。詳述すると、本実施例２のシェルピンスキー曲線は、縦方向（又は横方向）の直線と、その末端から９０度傾けた横方向（又は縦方向）の直線と、縦方向（又は横方向）の直線の末端から＋４５度又は−４５度傾けた斜め方向の直線とが、繰り返し描かれることによって形成される。これにより、シェルピンスキー曲線は、その始点と終点でのみ交わり、該始点と終点との間で交差しない。すなわち、このシェルピンスキー曲線を構成する非閉鎖図形要素４１では、その直線を境界とする閉じた領域が形成されない。
【００３７】
一方、平行連続線３４は、上記の再帰曲線３３と一定間隔をおいて描かれた縦方向の直線と横方向の直線と斜め方向の直線とを連続してなるものであり、これら各直線が、隣合う該再帰曲線３３の直線と夫々平行となっている。本実施例２では、こうした平行連続線３４が、再帰曲線３３の外側に一個と内側に二個描かれている。さらに、外側の平行連続線３４のさらに外側には、当該平行連続線３４と平行な部分を有する副次連続線３５が複数（例えば、四個）描かれていると共に、内側の平行連続線３４のさらに内側には、閉じた領域を形成する多角形状の副次閉鎖線３６が複数（例えば、描かれる場所に応じて三個や四個）描かれている。ここで、副次連続線３５と副次閉鎖線３６とは、背景画像３２の領域４７で、再帰曲線３３と複数の平行連続線３４とが描かれない領域を埋めるように描かれており、相互に非接触であり且つ該再帰曲線３３と平行連続線３４とも非接触である。
【００３８】
再帰曲線３３のシェルピンスキー曲線は、変換規則（２）に従って、縦方向、横方向、および斜め方向の直線を規則的に連続させたものであり、上記の非閉鎖図形要素４１を一筆書き状に複数連続してなるものである。また、平行連続線３４は、再帰曲線３３を構成する非閉鎖図形要素４１と平行に描かれた非閉鎖図形要素４２を、一筆書き状に複数連続してなるものであり、換言すれば、縦方向、横方向、および斜め方向の直線を、再帰曲線３３と平行となるように規則的に連続してなるものである。
【００３９】
本実施例２にあっても、背景画像３２が印刷された領域４７では、該領域４７の全域に亘って該背景画像３２が描かれており、且つ該背景画像３２の濃度が略平準化されている。そして、背景画像３２の濃度が約２０％となるように、再帰曲線３３、平行連続線３４、副次連続線３５、および副次閉鎖線３６とを描いている。尚、本実施例２にあって、再帰曲線３３および平行連続線３４とにより、本発明にかかる連続線図が構成されており、また、副次連続線３５および副次閉鎖線３６とにより所謂副次線図が構成されている。
【００４０】
また、本実施例２にあっても、再帰曲線３３の所定部位に欠落線部４５が構成されている。具体的には、情報記載欄５内で、中央の上部位置と、中央の下部位置との二箇所に、夫々欠落線部４５，４５が形成されている。
【００４１】
上述した本実施例２の構成にあっては、再帰曲線３３が一筆書き状のシェルピンスキー曲線であり、始点と終点以外で交差せず且つ比較的複雑な形態をなす。そして、背景画像３２は、再帰曲線３３に加えて、平行連続線３４、副次連続線３５、および副次閉鎖線３６を備えていることから、一層複雑な構造をなしており、偽造等のために視認された場合にあっても該構造を正確に知得され難い。また、背景画像３２の濃度設定によって、該背景画像３２の構造を知得され難くする作用効果が高まる。こうしたことから、本実施例２の構成は、背景画像３２の構造が正確に知得されることを可及的に抑制でき、偽造防止という作用効果が飛躍的に向上する。また、上述した実施例１と同様に、欠落線部４５，４５によって、偽造防止の作用効果が一層向上する。
【００４２】
また、再帰曲線３３，平行連続線３４、副次連続線３５、および副次閉鎖線３６が、縦方向と横方向と斜め方向との直線により構成されていることから、複写機での複写によって干渉縞（モアレ）が一層発生し易い。
【００４３】
このように本実施例２の構成にあっても、上述した実施例１と同様の作用効果を奏し得る。
【実施例３】
【００４４】
実施例３は、背景画像５２が、ゴスパー曲線からなる再帰曲線５３と、該再帰曲線５３に平行な複数の平行連続線５４とを備えた偽造防止帳票５１である。背景画像５２が印刷された領域６７は、六角形に似た形状をなし、情報記載欄５の全域を埋めるように該背景画像５２が印刷されている。尚、本実施例３にあって、背景画像５２が異なる以外は上述の実施例１と同様の構成であることから、同じ構成要素には同じ符号を記し、その説明を適宜省略する。
【００４５】
再帰曲線５３は、下記の変換規則（３）に従って形成されるゴスパー曲線である。
Ｌ＝Ｌ＋Ｒ＋＋Ｒ−Ｌ−−ＬＬ−Ｒ＋，Ｒ＝−Ｌ＋ＲＲ＋＋Ｒ＋Ｌ−−Ｌ−Ｒ  
・・・（３）
ここで、傾ける角度が「６０度」、初期値が「Ｒ」である。
【００４６】
ここで、ゴスパー曲線としては、横方向と斜め方向との直線が連続する非閉鎖図形要素６１を、一筆書き状に複数連続してなるものである。詳述すると、本実施例３のゴスパー曲線は、横方向の直線と＋６０度又は−６０度傾けた斜め方向の直線とが繰り返し描かれることによって形成される。これにより、ゴスパー曲線は、その始点から終点に至るまでの間で交差しない。すなわち、非閉鎖図形要素６１は、その直線を境界とする閉じた領域を形成しない形状をなし、総じて、再帰曲線５３は、その直線を境界とする閉じた領域が形成しないように描かれる。
【００４７】
一方、平行連続線５４は、上記の再帰曲線５３と一定間隔をおいて描かれた横方向の直線と斜め方向の直線とを連続してなるものであり、これら各直線が、隣合う該再帰曲線５３の直線と夫々平行となっている。本実施例３では、こうした平行連続線５４が、再帰曲線５３の内外両側に各一個づつ描かれている。さらに、外側の平行連続線５４のさらに外側には、当該平行連続線５４と平行な部分を有する副次連続線５５が複数（例えば、二個）描かれていると共に、内側の平行連続線５４のさらに内側には、閉じた領域を形成する副次閉鎖線５６が複数描かれている。ここで、副次連続線５５と副次閉鎖線５６とは、背景画像５２の領域６７で、再帰曲線５３と複数の平行連続線５４とが描かれない領域を埋めるように描かれており、相互に非接触であり且つ該再帰曲線５３と平行連続線５４とも非接触である。
【００４８】
再帰曲線５３のゴスパー曲線は、変換規則（３）に従って、横方向および斜め方向の直線を規則的に連続させたものであり、上記の非閉鎖図形要素６１を一筆書き状に複数連続してなるものである。また、平行連続線５４は、再帰曲線５３を構成する非閉鎖図形要素６１と平行に描かれた非閉鎖図形要素６２を、一筆書き状に複数連続してなるものであり、換言すれば、横方向および斜め方向の直線を、再帰曲線５３と平行になるように規則的に連続してなるものである。
【００４９】
本実施例３にあっても、背景画像５２が印刷された領域６７では、該領域６７の全域に亘って該背景画像５２が描かれており、且つ該背景画像５２の濃度が略平準化されている。そして、背景画像５２の濃度が約２０％となるように、再帰曲線５３、平行連続線５４、副次連続線５５、および副次閉鎖線５６とを描いている。尚、本実施例３にあって、再帰曲線５３および平行連続線５４とにより、本発明にかかる連続線図が構成されており、また、副次連続線５５および副次閉鎖線５６とにより所謂副次線図が構成されている。
【００５０】
また、本実施例３にあっても、再帰曲線５３の所定部位に欠落線部６５が構成されている。具体的には、情報記載欄５内での左右位置に、夫々欠落線部６５，６５が形成されている。
【００５１】
上述した実施例３の構成にあっては、再帰曲線５３が一筆書き状のゴスパー曲線であり、その始点から終点に至るまで交差せず且つ比較的複雑な形態をなす。そして、背景画像５２は、再帰曲線５３に加えて、平行連続線５４、副次連続線５５、および副次閉鎖線５６を備えていることから、一層複雑な構造をなしており、偽造のために視認された場合にあっても該構造を正確に知得され難い。また、背景画像５２の濃度設定により、該背景画像５２の構造を知得され難くする作用効果が高まる。こうしたことから、本実施例３の構成は、背景画像５２の構造が正確に知得されることを可及的に抑制でき、偽造防止という作用効果が飛躍的に向上する。また、上述した実施例１と同様に、欠落線部６５，６５によって、偽造防止の作用効果が一層向上する。
【００５２】
また、再帰曲線５３，平行連続線５４、副次連続線５５、および副次閉鎖線５６が、横方向と斜め方向との直線により構成されていることから、複写機での複写によって干渉縞（モアレ）が一層発生し易い。
【００５３】
このように本実施例３の構成にあっても、上述した実施例１と同様の作用効果を奏し得る。
【実施例４】
【００５４】
実施例４は、背景画像８２を構成する再帰曲線８３と複数の平行連続線８４とに潜像９１が形成された偽造防止帳票８１である。ここで、再帰曲線８３は、上述した実施例１と同様に、上記の変換規則（１）に従うヒルベルト曲線であり、平行連続線８４は、上述した実施例１と同様に、再帰曲線８３の内外両側で該再帰曲線８３と平行に描かれている。すなわち、実施例４の再帰曲線８３は、実施例１の再帰曲線１２と同じ非閉鎖図形要素２１（図２，３参照）を一筆書き状に連続したものであり、実施例４の平行連続線８４は、実施例１の平行連続線１３と同じ非閉鎖図形要素２６（図２参照）を一筆書き状に連続したものである。
【００５５】
背景画像８２は、その再帰曲線８３と平行連続線８４との所定部位で、夫々を構成する直線の幅を、他の部位に比して約二倍とし、かつ該直線の濃さを、他の部位に比して約半分に薄くする。こうして、背景画像８２に、「複」という文字を示す潜像９１を形成している。この潜像９１は、直線の幅を約二倍としているものの、該直線の濃さを約半分としていることから、目視では気付き難い。一方、複写機で複写した場合には、直線の濃さが明確となることから、複写した紙には、「複」という潜像９１が明瞭に表れる。
【００５６】
尚、本実施例４の構成は、潜像９１を形成した以外は上述の実施例１と同様の構成であることから、同じ構成要素には同じ符号を記し、その説明を適宜省略する。
【００５７】
実施例４の構成にあっては、上述した実施例１と同様の作用効果を奏することに加え、複写機で複写した場合に表れる潜像９１によって、オリジナルと複写した物とを明確に差別化することができるため、複写による偽造防止効果が一層向上する。
【００５８】
上述した実施例１〜４の構成にあっては、背景画像が一個の再帰曲線を備えた構成であるが、その他の構成として、複数の再帰曲線を備えた構成とすることもできる。同様に、平行連続線の個数を適宜変えて設定することも可能である。また、実施例１，４の構成に、実施例２，３と同様に、副次連続線や副次閉鎖線などを加えることも可能である。
【００５９】
上述した実施例１〜４の構成にあって、背景画像の濃度は、５〜５０％の範囲内で適宜設定することが可能である。また、欠落線部の個数を変えることも可能であり、該欠落線部を、平行連続線に形成するようにしても良い。
【００６０】
上述した実施例１〜４の構成にあっては、紙面の一部分に背景画像を印刷するようにした構成であるが、紙面全体に背景画像を印刷することもできる。
【００６１】
また、実施例２，３の構成にあっても、実施例４と同様に、潜像を形成することもできる。
【００６２】
本発明にあっては、上述した実施例に限定されるものではなく、上述の実施例以外の構成についても本発明の趣旨の範囲内で適宜変更して実施可能である。
【符号の説明】
【００６３】
１，３１，５１，８１  偽造防止帳票
５  情報記載欄（情報記載領域）
１１，３２，５２，８２  背景画像
１２，３３，５３，８３  再帰曲線（連続線図）
１３，３４，５４，８４  平行連続線（連続線図）
１５，４５，６５  欠落線部
２１，２６，４１，４２，６１，６２  非閉鎖図形要素
【図１】
0006564197.tif 000002
【図２】
0006564197.tif 000003
【図３】
0006564197.tif 000004
【図４】
0006564197.tif 000005
【図５】
0006564197.tif 000006
【図６】
0006564197.tif 000007
【図７】
0006564197.tif 000008
【図８】
0006564197.tif 000009
【図９】
0006564197.tif 000010
【図１０】
0006564197.tif 000011
【図１１】
0006564197.tif 000012
【図１２】
0006564197.tif 000013
【図１３】
0006564197.tif 000014